(57)【特許請求の範囲】
【請求項１】
ＡＣ電源装置および電源スイッチを有する基本キャビネットと、ＡＣ電源装置とバックアップバッテリーおよびこのバックアップバッテリーとの接続を外部から制御するための一対のバッテリー切り離し制御端子を有する増設キャビネットと、前記増設キャビネットのＡＣ電源装置に対する電源の供給および前記バックアップバッテリーとの接続を制御する制御装置とを備え、前記制御装置は、前記基本キャビネットの電源スイッチの電源オン時はリレー接点を閉成して前記増設キャビネットのＡＣ電源装置へＡＣ電源を供給し電源オフ時は遮断する第１のリレー回路と、前記基本キャビネットの電源スイッチの電源オン時は前記増設キャビネットのＡＣ電源装置と前記バックアップバッテリーとを接続し電源オフ時は切り離すように前記バッテリー切り離し制御端子間を短絡または開放する第２のリレー回路とを備えることを特徴とする電源供給装置。
【請求項２】
前記第１のリレー回路は、前記基本キャビネットの電源スイッチの電源オン時は非通電状態でリレー接点を閉成し、前記増設キャビネットのＡＣ電源装置へＡＣ電源を供給することを特徴とする請求項１記載の電源供給装置。
【発明の詳細な説明】
【０００１】
【発明の属する技術分野】
本発明は、複数のキャビネット内に収納された各ＡＣ電源装置を一括して制御することができる電源供給装置に関し、とくにビルディングブロック方式のボタン電話装置の電源を、基本キャビネット内のＡＣ電源装置のスイッチ操作で一括して制御することができる電源供給装置に関する。
【０００２】
【従来の技術】
従来、ビルディングブロック方式のボタン電話システムの電源をオン／オフ制御するには、構成する各キャビネット内のＡＣ電源装置を一括して制御することが必要であった。
【０００３】
そこで、従来は基本キャビネット内にブレーカーを設け、システムの電源をオン／オフ操作するときには、基本キャビネットの正面パネルを開け、このブレーカーを操作することで行っていた。
【０００４】
また、各キャビネットはブレーカーの操作によってＡＣ電源が切断されると、停電用バックアップバッテリーが作動する仕組みになっているので、このバックアップ動作を防ぐために手動操作によってＡＣ電源装置のバッテリー切り離し回路を制御し、停電用バックアップバッテリーの切り離しを行っていた。
【０００５】
【発明が解決しようとする課題】
前述した従来例では、ブレーカーおよびバッテリーの切り離し操作は各キャビネット内のＡＣ電源装置の電源スイッチとは別操作であるため、次のような不都合があった。
【０００６】
▲１▼ブレーカーおよびバッテリーの切り離し操作スイッチをキャビネット内に設けた場合、操作時に正面パネルを外す必要があり、活電部が露出する可能性があり、海外規格を満足することができない。
【０００７】
▲２▼ブレーカーおよびバッテリーの切り離し操作スイッチ用に切り欠き穴を基本キャビネットの正面パネルに設けた場合、増設キャビネットを用いずに基本キャビネットのみの構成ではブレーカーが不要となるため不必要な穴となり、デザイン上の不都合や、鼠害およびゴミ等による不都合が生じる。
【０００８】
本発明は、このような従来の課題を解決するためになされたもので、各ＡＣ電源装置を一括して制御することにより正面パネルの開閉や、不必要な穴によるゴミ等の進入を防ぐことができる電源供給装置を提供することを目的とする。
【０００９】
【課題を解決するための手段】
本発明の電源供給装置においては、ＡＣ電源装置および電源スイッチを有する基本キャビネットと、ＡＣ電源装置とバックアップバッテリーおよびこのバックアップバッテリーとの接続を外部から制御するための一対のバッテリー切り離し制御端子を有する増設キャビネットと、増設キャビネットのＡＣ電源装置に対する電源の供給およびバックアップバッテリーとの接続を制御する制御装置とを備え、制御装置は、基本キャビネットの電源スイッチの電源オン時はリレー接点を閉成して増設キャビネットのＡＣ電源装置へＡＣ電源を供給し電源オフ時は遮断する第１のリレー回路と、基本キャビネットの電源スイッチの電源オン時は増設キャビネットのＡＣ電源装置とバックアップバッテリーとを接続し電源オフ時は切り離すようにバッテリー切り離し制御端子第２のリレー回路とを備えるものである。
【００１０】
本発明によれば、各ＡＣ電源装置を一括して制御することにより正面パネルの開閉や、不必要な穴によるゴミ等の進入を防ぐことができる。
【００１１】
【発明の実施の形態】
本発明の請求項１に記載の発明は、ＡＣ電源装置および電源スイッチを有する基本キャビネットと、ＡＣ電源装置とバックアップバッテリーおよびこのバックアップバッテリーとの接続を外部から制御するための一対のバッテリー切り離し制御端子を有する増設キャビネットと、増設キャビネットのＡＣ電源装置に対する電源の供給およびバックアップバッテリーとの接続を制御する制御装置とを備え、制御装置は、基本キャビネットの電源スイッチの電源オン時はリレー接点を閉成して増設キャビネットのＡＣ電源装置へＡＣ電源を供給し電源オフ時は遮断する第１のリレー回路と、基本キャビネットの電源スイッチの電源オン時は増設キャビネットのＡＣ電源装置とバックアップバッテリーとを接続し電源オフ時は切り離すようにバッテリー切り離し制御端子間を短絡または開放する第２のリレー回路とを設けたものであり、
本発明によれば、基本キャビネット内に制御装置を設け、この制御装置内に設けたリレー回路を制御することによって、増設キャビネットのＡＣ電源装置へのＡＣ電源供給を制御し、連動して増設キャビネットのバックアップバッテリーの切り離しを制御するようにしたので、各ＡＣ電源装置を一括して制御することができる。
【００１２】
請求項２に記載の発明は、請求項１に記載の発明において、第１のリレー回路が、基本キャビネットの電源スイッチの電源オン時は非通電状態となり、この状態でリレー接点を閉成して増設キャビネットのＡＣ電源装置へＡＣ電源を供給するものであり、
本発明によれば、増設キャビネットのＡＣ電源装置にＡＣ電源を供給するリレー回路を、システム動作中は非通電で接点が閉じる構成としたので、リレー回路の寿命問題を解決し、高信頼性を確保することができる。
【００１３】
以下、本発明の実施の形態について、図１〜図５を用いて説明する。
【００１４】
（実施の形態１）
図１および図２は、本発明による電源供給装置をビルディングブロック方式のボタン電話装置に適用した場合の構成図で、図１は外観図、図２は内部構成図である。
【００１５】
本実施の形態は、基本キャビネット１のほかに増設キャビネット２，３が設置され、基本キャビネット１の正面パネルには電源スイッチ４が配置されている。また、各キャビネット１，２，３にはＡＣ（交流）電源装置１Ｐ，２Ｐ，３Ｐが収納されており、さらに基本キャビネット１にはＡＣ電源装置１Ｐ〜３Ｐを一括して制御する制御装置としてのスイッチボックス１Ｓが配置されている。
【００１６】
ＡＣ電源装置１Ｐ〜３Ｐおよびスイッチボックス１Ｓの詳細については後述するが、外部から供給されるＡＣ電源がスイッチボックス１Ｓを介して各ＡＣ電源装置１Ｐ〜３Ｐに供給される。そして、ＡＣ電源装置１Ｐで生成されたＤＣ（直流）２４Ｖの電源がスイッチボックス１Ｓに供給される。また、スイッチボックス１ＳからはＡＣ電源装置２Ｐ，３Ｐのバッテリー切り離し制御端子に制御信号が供給される。
【００１７】
図３は、スイッチボックス１Ｓの構成を示すブロック図で、システム稼働中の状態を示している。スイッチボックス１Ｓは前述したように外部から供給されるＡＣ電源を各ＡＣ電源装置１Ｐ〜３Ｐに供給するものである。
【００１８】
すなわち、ラインＬ１を介して供給されるＡＣ電源は、ラインＬ２を介して基本キャビネット１のＡＣ電源装置１Ｐに供給され、リレー接点１１ｓおよびラインＬ３を介して増設キャビネット２のＡＣ電源装置２Ｐに供給され、リレー接点１２ｓおよびラインＬ４を介して増設キャビネット３のＡＣ電源装置３Ｐに供給される。
【００１９】
また、スイッチボックス１Ｓは、ラインＬ５を介してＡＣ電源装置２Ｐのバッテリー切り離し制御端子に接続されるリレー接点１３ｓと、ラインＬ６を介してＡＣ電源装置３Ｐのバッテリー切り離し制御端子に接続されるリレー接点１４ｓとを備える。
【００２０】
これら各リレー接点１１ｓ〜１４ｓはＡＣ電源装置１ＰからラインＬ７を介して供給されるＤＣ２４ＶのＤＣ電源によって駆動されるリレー１１ｒ，１２ｒ，１３ｒによって制御される。すなわち、リレー接点１１ｓはリレー１１ｒによって、リレー接点１２ｓはリレー１２ｒによって、リレー接点１３ｓ，１４ｓはリレー１３ｒによって、それぞれ制御される。なお、リレー接点１１ｓ，１２ｓはノーマル開のＭ接点であり、リレー接点１３ｓ，１４ｓはノーマル閉のＢ接点である。また、リレー１１ｒおよびリレー接点１１ｓ（またはリレー１２ｒおよびリレー接点１２ｓ）によって第１のスイッチ回路が構成され、リレー１３ｒおよびリレー接点１３ｓ（またはリレー接点１４ｓ）によって第２のスイッチ回路が構成されている。
【００２１】
図４は、ＡＣ電源装置１Ｐのブロック図で、他のＡＣ電源装置２Ｐ，３Ｐも同一の構成を有している。同図において、スイッチボックス１Ｓから供給されるＡＣ電源は、電源スイッチ４の一方のスイッチ４ａを介してＡＣ／ＤＣコンバータ２１に供給され、ＤＣ２４ＶのＤＣ電源に変換される。
【００２２】
このＤＣ電源はＤＣ２４Ｖ出力端子に供給されると共に、ＤＣ／ＤＣコンバータ２２に供給されてＤＣ５ＶのＤＣ電源に変換され、さらに切り離しリレー２３ｒを介してバッテリー制御回路２４に供給される。
【００２３】
バッテリー制御回路２４はバッテリー切り離し制御端子に外部から供給される制御信号またはバッテリー過放電防止検出回路２４ａによる過放電の検出によってトランジスタ２４ｂを制御し、それによって切り離しリレー２３ｒを制御し切り離しリレー接点２３ｓを開閉する。
【００２４】
リレー接点２３ｓはＡＣ電源停電時に閉じ、電源スイッチ４の他方のスイッチ４ｂを介してＤＣ２４Ｖ出力端子、ＤＣ／ＤＣコンバータ２２および切り離しリレー２３ｒにバックアップバッテリー１Ｂからバックアップ電源を供給する。
【００２５】
次に、本実施の形態の動作について説明する。まず、システムを稼働させる場合は、基本キャビネット１の電源スイッチ４をオンする。これによりＡＣ電源装置１ＰからＤＣ２４Ｖがスイッチボックス１Ｓに供給され、リレー１１ｒ〜１３ｒが通電される。
【００２６】
これによりリレー接点１１ｓ，１２ｓが閉となり、増設キャビネット２，３のＡＣ電源装置２Ｐ，３ＰにＡＣ電源が供給される。また、リレー接点１３ｓ，１４ｓが開となり、ＡＣ電源装置２Ｐ，３Ｐの各トランジスタ２４ｂおよびリレー２３ｒが導通して切り離しリレー接点２３ｓが閉じ、バックアップバッテリー２Ｂ，３ＢがＡＣ電源装置２Ｐ，３Ｐに接続される。これによりシステムは稼働状態となり、ＡＣ電源装置２Ｐ，３ＰはＡＣ電源停電時にはバックアップバッテリー２Ｂ，３Ｂによってバックアップされる。
【００２７】
一方、システムを非稼働状態にする場合は、基本キャビネット１のＡＣ電源装置１Ｐの電源スイッチ４をオフとする。これによりＡＣ電源装置１Ｐからスイッチボックス１ＳへのＤＣ２４Ｖの供給が停止され、リレー１１ｒ〜１３ｒへの電源の供給が停止される。このためリレー接点１１ｓ，１２ｓが開となり、ＡＣ電源装置２Ｐ，３ＰへのＡＣ電源の供給が停止される。
【００２８】
また、リレー接点１３ｓ，１４ｓが閉となり、ＡＣ電源装置２Ｐ，３Ｐの各トランジスタ２４ｂおよび切り離しリレー２３ｒが非通電となってリレー接点２３ｓが開となり、バックアップバッテリー２Ｂ，３ＢがＡＣ電源装置２Ｐ，３Ｐから切り離される。これによりバッテリーバックアップも作動せず、システムを非稼働状態とすることができる。
【００２９】
（実施の形態２）
図５は、本発明による電源供給装置のスイッチボックス１Ｓの他の実施の形態を示すブロック図で、前述の図３に示す実施の形態と同一部分には同一符号を付して説明する。
【００３０】
本実施の形態は、ＡＣ電源をＤＣ変換してＤＣ２４Ｖのリレー用電源を得る内部電源１５を新たに設け、このＤＣ電源をリレー１１ｒ〜１３ｒに供給するように構成したものである。そして、リレー１３ｒのＧＮＤ端子側にはラインＬ７およびインバータ１６を介してＡＣ電源装置１ＰからＤＣ２４ＶのＤＣ電源が供給され、さらにリレー１１ｒ〜１２ｒのＧＮＤ端子側にはインバータ１６の出力がインバータ１７を介して供給される。リレー接点１１ｓ〜１２ｓはノーマル閉ののＢ接点である。その他の構成は前述の実施の形態（図３）と同一である。
【００３１】
次に、本実施の形態の動作について説明する。システムを稼働させる場合は、基本キャビネット１の電源スイッチ４をオンする。これによりＡＣ電源装置１ＰからＤＣ２４Ｖがスイッチボックス１Ｓに供給される。
【００３２】
内部電源１５には常にＡＣ電源が供給され、ＤＣ２４Ｖがリレー１１ｒ〜１３ｒに供給されているので、ＡＣ電源装置１ＰからＤＣ２４Ｖが供給されると、インバータ１６，１７によりリレー１１ｒ，１２ｒが非通電状態、リレー１３ｒが通電状態となり、リレー接点１１ｓ，１２ｓは閉、リレー接点１３ｓ，１４ｓは開となる。
【００３３】
これにより増設キャビネット２，３のＡＣ電源装置２Ｐ，３ＰにはＡＣ電源が供給され、切り離しリレー接点２３ｓは閉となり、バックアップバッテリー２Ｂ，３ＢがＡＣ電源装置２Ｐ，３Ｐに接続される。これによりシステムは稼働状態となる。
【００３４】
一方、システムを非稼働状態とする場合は、基本キャビネット１の電源スイッチ４をオフとする。これによりＡＣ電源装置１Ｐからスイッチボックス１Ｓへ供給されるＤＣ２４Ｖが停止するので、リレー１１ｒ，１２ｒが通電状態、リレー１３ｒが非通電状態となり、リレー接点１１ｓ，１２ｓは開、リレー接点１３ｓ，１４ｓは閉となる。
る。
【００３５】
これにより増設キャビネット２，３のＡＣ電源装置２Ｐ，３ＰにはＡＣ電源の供給が停止され、切り離しリレー接点２３ｓは開となるため、バックアップバッテリー２Ｂ，３ＢがＡＣ電源装置２Ｐ，３Ｐから切り離される。これによりバッテリーバックアップが行われず、システムを停止することができる。
【００３６】
このように、本実施の形態では、システムが稼働中はリレーが非通電状態でＡＣ電源を増設キャビネットに供給することができるため、とくにＡＣ電源用リレーの寿命問題を解決し、高信頼性を確保することができる。
【００３７】
【発明の効果】
本発明によれば、基本キャビネット内にスイッチボックスを設け、このスイッチボックス内に設けたリレーを電源スイッチの操作で制御することによって、増設キャビネットのＡＣ電源装置へのＡＣ電源供給を制御し、連動して増設キャビネットのＡＣ電源装置のバックアップバッテリーの切り離しを制御するようにしたので、基本キャビネットの電源スイッチの操作でビルディングブロック方式のボタン電話装置の電源を一括して制御することができる。
【００３８】
また、本発明によれば、増設キャビネットのＡＣ電源装置にＡＣ電源を供給するリレーを、システム作動中は非通電で接点が閉じる構成としたので、ＡＣ電源用リレーの寿命問題を解決し、高信頼性を確保することができる。
【図面の簡単な説明】
【図１】本発明による電源供給装置の外観図
【図２】図１に示す電源供給装置の内部構成図
【図３】スイッチボックスの一例を示すブロック図
【図４】ＡＣ電源装置のブロック図
【図５】スイッチボックスの他の例を示すブロック図
【符号の説明】
１  基本キャビネット
２，３  増設キャビネット
４  電源スイッチ
１Ｂ，２Ｂ，３Ｂ  バックアップバッテリー
１Ｐ，２Ｐ，３Ｐ  ＡＣ電源装置
１Ｓ  スイッチボックス
１１ｒ〜１３ｒ  リレー
１１ｓ〜１４ｓ  リレー接点
１５  内部電源
１６，１７  インバータ
２３ｒ  切り離しリレー
２３ｓ  切り離しリレー接点
【図１】
0003665843.tif 000002
【図２】
0003665843.tif 000003
【図３】
0003665843.tif 000004
【図４】
0003665843.tif 000005
【図５】
0003665843.tif 000006